(57)【要約】【課題】  埋め込み可能ディフィブリレータによって検知された負荷インピーダンスを自動的に補償することにより、制御可能なエネルギー量を送出する装置および方法を提供する。【解決手段】  高速のスイッチング電力変換器技術を使用して、高エネルギーの任意波形を効率的に生成する。線形増幅器と異なり、スイッチング電力変換器は、高エネルギーの波形を、所望の波形のサイズおよび振幅には依存しない効率で送出する。スイッチング電力変換器を使用して所望のエネルギーを患者に送出するＩＣＤは、送出するエネルギーを蓄積コンデンサに蓄積する。次いで、変換器は、出力回路の内外で蓄積コンデンサを高速にスイッチングすることにより、このエネルギーを、任意の形状を有する電圧制御されたまたは電流制御された出力波形に変形する。この波形には、ランプ型波形が含まれることが好ましい。
2005511164.tif 000002
【特許請求の範囲】
【請求項１】
デバイスから一定のエネルギーを送出し、心臓細動の状況を終結させるように、波形を制御するシステムであって、
少なくとも１対の電極の間におけるサブシステムの負荷インピーダンスを、エネルギーの初期部分を送出する継続時間にわたって測定する手段と、
蓄積コンデンサの電圧が一定の割合だけ減衰するのに要する時間の長さを測定する手段と、
前記時間の長さに基づいて、電圧制御されたまたは電流制御された出力波形が送出される負荷インピーダンスを計算する手段と、
前記負荷インピーダンスにかかわらず、事前にプログラムされたレベルのエネルギーを送出するために、前記電圧制御されたまたは電流制御された出力波形を延ばす手段と、
を備える波形を制御するシステム。
【請求項２】
前記延ばす手段は、電力変換器回路を備える、請求項１に記載の波形を制御するシステム。
【請求項３】
前記分離した電極は、埋め込み可能医療デバイスの導電キャニスタの一部である、請求項１に記載の波形を制御するシステム。
【請求項４】
前記事前にプログラムされたレベルのエネルギーは、１組の事前にプログラムされた離散的なレベルのエネルギーであり、前記１組におけるそれぞれの一連の構成要素は、前記１組におけるその前の構成要素よりも大きな大きさを有する、請求項１に記載の波形を制御するシステム。
【請求項５】
前記電圧制御されたまたは電流制御された出力波形は、上昇振幅波形、二相性波形、下降振幅波形、打切り型波形、多相波形、多相性波形、ほぼ方形の形状の波形の少なくとも１つである、請求項１に記載の波形を制御するシステム。
【請求項６】
前記電圧制御されたまたは電流制御された出力波形を延ばす前記手段は、スイッチング変換器を備える、請求項１に記載の波形を制御するシステム。
【請求項７】
前記スイッチング変換器は、ステップダウン（降圧）変換器、ステップアップ（昇圧）変換器、結合ステップダウン／ステップアップ（降圧−昇圧）変換器の少なくとも１つを備える、請求項６に記載の波形を制御するシステム。
【請求項８】
前記１対の電極は、経皮電極、皮下電極、心外膜電極、心内膜電極、経皮的電極、表面電極、キャニスタ電極、コイル電極、リング電極の少なくとも１つを備える、請求項１に記載の波形を制御するシステム。
【請求項９】
心臓ディフィブリレータのエネルギー蓄積コンデンサの電圧を監視しながら、被験者に任意波形を送出するシステムであって、
該蓄積コンデンサに蓄積されるエネルギーの総量を導出するために、前記蓄積コンデンサに蓄積された電圧および該蓄積コンデンサのサイズを求める手段と、
前記蓄積コンデンサの電圧が閾値に減衰した後に、任意波形を打切る手段と、
被験者の負荷抵抗にかかわらず、前記打切り型任意波形を介して前記エネルギーの総量のうちの特定の量を送出する手段と、
を備える任意波形を送出するシステム。
【請求項１０】
前記打切る手段は、出力電圧パラメータおよびデューティサイクルパラメータを監視する手段を備える、請求項９に記載の任意波形を送出するシステム。
【請求項１１】
患者の心臓の調律を安定化させるように、一定のエネルギーを送出するシステムであって、
首尾よく不整脈を終結させようとして、任意波形を使用して、患者の心臓組織の一部に送出されている送出エネルギーの一部を監視する手段と、
前記患者の負荷インピーダンス値を計算する手段と、
所望の一定のエネルギー量が送出されるように、前記任意波形によって供給される前記送出エネルギーの残りの部分を、該送出エネルギーの該残りの部分の振幅特性をスケーリングすることに基づいて調整する手段と、
を備える一定のエネルギーを送出するシステム。
【請求項１２】
前記監視する手段は、時間に応じて前記送出エネルギーの前記残りの部分を監視する手段を含む、請求項１１に記載の一定のエネルギーを送出するシステム。
【請求項１３】
前記設定する手段は、前記負荷インピーダンスにほぼ整合させ、それによって、一貫したエネルギー量を送出するために、前記任意波形の電圧パラメータまたは電流パラメータを制御する手段を含む、請求項１１に記載の一定のエネルギーを送出するシステム。
【請求項１４】
首尾よく前記不整脈を終結したかどうかを判断するために、前記心臓組織の一部を監視するステップと、
首尾よく前記不整脈を終結していない場合には、請求項１１に記載のステップを繰り返すステップと、
をさらに含む、請求項１１に記載の一定のエネルギーを送出するシステム。
【請求項１５】
請求項１１に記載のステップを繰り返す前記ステップは、前記所望の一定のエネルギー量より大きな大きさの第２の所望の一定のエネルギー量を送出することにより行われる、請求項１４に記載の一定のエネルギーを送出するシステム。
【請求項１６】
前記負荷インピーダンス値を計算する手段は、前記心臓組織の一部の付近に配置される少なくとも１対の電極を備える、請求項１１に記載の一定のエネルギーを送出するシステム。
【請求項１７】
組織の一部に、所望される所定かつ一定のエネルギー量を送出する方法であって、
蓄積コンデンサを充電するステップと、
組織の一部の付近に配置された少なくとも２つの電極を使用して該組織の一部の負荷インピーダンスを測定するステップと、
前記蓄積コンデンサに存在する電位の大きさを測定するステップと、
同時に、前記負荷インピーダンスを再測定するために、前記蓄積コンデンサから前記組織の一部へ、スイッチング電力変換器回路を通じて任意波形を送出するステップと、
前記再測定した負荷インピーダンスの変化に応答して、所定かつ一定のエネルギー量が、前記組織の一部に最終的に送出されるように、前記任意波形を調整するステップと、
を含む方法。
【請求項１８】
前記任意波形は、上昇振幅波形、二相性波形、電圧制御された波形、電流制御された波形、下降振幅波形、打切り型波形、多相波形、多相性波形、ほぼ方形の形状の波形の少なくとも１つを備える、請求項１７に記載の所望される所定かつ一定のエネルギー量を送出する方法。
【請求項１９】
自動体外ディフィブリレータ、埋め込み可能医療デバイス、埋め込み可能カーディオバータ、ペースメーカから選択されたデバイスによって実行される、請求項１７に記載の所望される所定かつ一定のエネルギー量を送出する方法。
【請求項２０】
致死の可能性のある不整脈の肯定的な検出、および、該致死の可能性のある不整脈の終結を目的とする少なくとも１回の低電圧治療に続いて適用される、請求項１７に記載の所望される所定かつ一定のエネルギー量を送出する方法。
【発明の詳細な説明】
【技術分野】
【０００１】
本発明は、包括的には、心臓刺激器に関する。詳細には、この発明は、心臓に送出されて心室細動を停止し、正常な心臓の調律を回復させるディフィブリレーション波形の生成に関する。より詳細には、本発明は、埋め込み可能ディフィブリレータによって検知された負荷インピーダンスを自動的に補償することにより、制御可能なエネルギー量を送出する装置および方法を提供する。
［関連出願の相互参照］
本特許情報開示は、２００１年１２月３日に出願番号第６０／３３７，１３５号として出願された「Control of Arbitrary Waveforms for Constant Delivered Energy」という発明の名称の先願の米国仮特許出願の利益を主張する。これによって、この米国仮出願の内容は、参照により本明細書に援用される。
【背景技術】
【０００２】
従来技術のＩＣＤ回路部は、患者の心臓に直接接触した電極に、充電したコンデンサを放電することにより、患者にエネルギーを送出している。それらのＩＣＤでは、コンデンサの蓄積エネルギー量を制御することによって、総エネルギーが制限され、この蓄積エネルギー量は、充電電圧を制限する。通常、コンデンサの電圧が既知の値に減衰すると、電気ショックは打切られる。その結果、波形は、一定の傾きを有する指数関数的減衰を示す。この傾きは、波形電圧が最初の波形電圧から最後の波形電圧まで減衰する割合である。したがって、患者の負荷インピーダンスが大きいほど、波形電圧の減衰時間が長くなるので、その患者は、より長い電気ショックを受けることになる。
【０００３】
患者のディフィブリレーション（除細動）を行う埋め込み可能ディフィブリレータ（除細動器）に使用される波形は、これまで、大部分が打切り型指数関数波形であった。打切り型指数関数波形は、コンデンサ（単数または複数）を充電し、全インピーダンスにわたってこのコンデンサを放電することにより生成される。この全インピーダンスには、患者のインピーダンスおよび波形の送出に使用されるリード線のインピーダンスが含まれる。打切りは、非打切り型指数関数波形の長く低い末端部が細動を再び誘発するおそれがあることを考慮して、臨床で使用されてきた。
【０００４】
打切り型指数関数波形には制限があるにもかかわらず、埋め込み可能カーディオバータ−ディフィブリレータ（ＩＣＤ）の製造業者は、臨床の場面では、打切り型指数関数波形を使用し続けている。さらに、ＩＣＤ製造業者は、プログラム可能な電気ショック強度を有するＩＣＤを長く生産してきた。ディフィブリレーションを行うのに必要な電気ショック強度は、打切り型指数関数波形の時定数（ＴＣ）および傾き（Ｔ）によって制御される。ＴＣは、ショック電圧が、その開始値の事前に設定された割合にまで減少するのに要する時間として定義される。Ｔは、その波形の立ち下がり時に残っている立ち上がり電圧の割合である。同じＴＣを維持しながら波形の継続時間を変更すると、Ｔが変化することになる。波形の継続時間を一定に保持しながらＴＣを変更すると、Ｔが変化することになる。さらに、ＴＣおよび波形の継続時間の双方を変更することによっても、Ｔは変化することが可能である。
【０００５】
二相性打切り型指数関数波形が導入されるまで、単相性打切り型指数関数波形が一般に使用されていた。二相性波形は、ショックパルスの送出中に、電極への送出極性を反転する静電容量の切換えによって作成される。二相性波形の中には、単相性波形と比較して、低いディフィブリレーション閾値（ＤＴ（defibrillation threshold））を有すると考えられるものがある。これは、二相性波形の第１相（phase）が、第２相よりも多くのエネルギーを送出する場合に特にあてはまる。
【０００６】
使用される波形の種類に加えて、単相性波形が使用される場合に、右心室においていずれの電極が陽極として機能するかを決定することも、ＤＴを低くするようである。しかしながら、二相性波形が使用される場合に、このような電極の極性の決定は、ほとんど影響がないようである。しかしながら、臨床医は、一般に、注意しすぎて、二相性波形を使用する場合にも、右心室の電極を陽極としてプログラムする。
【０００７】
Huang等による調査「Defibrillation Waveforms」Nonpharmacological Therapy of Arrhythmias for the 21st Century: the State of the Art, Futura, 1998が結論づけたことは、「したがって、（打切り型指数関数的な）二相性波形は、体内および体外のディフィブリレーションならびに心室および心房のディフィブリレーションに対して、（打切り型指数関数的な）単相性波形よりもディフィブリレーションに有効であるようである」ことである。この同じ調査は、その冒頭のパラグラフにおいて、「犬の体外ディフィブリレーションの場合、上昇ランプ（ascending ramp）からなる波形が、同じ強度の下降ランプ（descending ramp）の波形よりもディフィブリレーションの成功率がはるかに高いことを、Schuder等（Circ Res, 1966, 19:689-694において）は示している」と述べている。この事実にもかかわらず、上昇ランプの調査および／または実施は、ほとんど行われてこなかった。この理由は、下降ランプに類似した波形を生成する方がはるかに容易であるからであり、下降ランプ型の波形は、ディフィブリレーションの効率がはるかに劣るにもかかわらず、臨床では使用されている。
【０００８】
米国特許第５，７２５，５６０号において、Brinkは、コンピュータ制御システムにより任意波形を送出する方法を記載している。開示された基本エネルギー変換器のトポロジーは、パルス幅変調制御方式による降圧型電力変換器、すなわちステップダウン型電力変換器である。この型の電力変換器は、エネルギー変換の分野で使用される一般的なトポロジーである。この米国特許第５，７２５，５６０号で開発された回路部は、二相性波形を可能にするフルブリッジ（Ｈブリッジ）のＤＣ−ＤＣ変換器として実施される。このシステムは、患者に送出される電圧および電流を監視し、これらのパラメータを制御フィードバックとして使用する。
【０００９】
Weissは、米国特許第５，１８４，６１６号において、ＩＣＤで使用される任意波形回路を教示している。米国特許第５，７２５，５６０号と同様に、フルブリッジ（Ｈブリッジ）の実施態様を有するスイッチング電力変換器が使用される。この米国特許第５，１８４，６１６号は、波形送出中に、各スイッチングサイクル用に所定のパルス幅またはデューティサイクルを備えた制御方式を有する。場合により、適切なタイミングを決定するために、インピーダンスの測定が必要となる。このインピーダンスの測定は、電流を患者に印加し、次いで、印加された電流についての測定印加電圧を計算することにより、定電流源を使用する。フィードバック要素が、フィルタ回路の出力から信号情報を受け取る。この入力に基づいて、回路は、患者への出力が監視されていると推定し、その結果、マイクロプロセッサは、ショック制御線、電荷制御線、およびダンプ制御線を調整することができる。
【００１０】
Imranは、米国特許第４，７６８，５１２号において、打切り型指数関数波形を「チョッピング」したもの、または、蓄積コンデンサから送出される指数減衰パルスである一連の高周波から成る打切り型指数関数波形を送出する方法を記載している。この特許では、患者の負荷のフィードバック信号が基準電圧未満に下がると、出力電圧が使用不能にされ、その結果、波形の打切りが行われる。
【００１１】
Brewer等は、さまざまなディフィブリレーション波形の制御および送出に関する多数の特許を付与されている。例えば、米国特許第５，９０８，４４２号において、Brewer他は、二相性打切り型減衰正弦波ショックを送出する方法を開示している。連続して動作する２つの放電回路により、二相性波ショックの送出が可能となる。ショックの打切り時刻は、ディフィブリレーションのブレア等価回路（Blair equivalent circuit）モデルを、胸壁、胸郭、肺、および心臓の分布インピーダンスの知識と共に使用して決定される。この方法は、患者の全インピーダンスがショックの送出前に判明している必要がある。
【００１２】
Brewer他は、米国特許第５，９９１，６５８号において、患者のインピーダンスまたは抵抗を離散的に繰り返し測定した測定値に基づき、打切り型指数関数波形の傾きを連続的に求める方法を記載している。ディフィブリレーション有効性モデルに基づく最適な傾きが、計算された傾きと等しくなる時点に蓄積コンデンサが減衰した時に、波形は打切られる。
【００１３】
さらに、Brewer他は、米国特許第５，９７８，７０６号において、米国特許第５，９０８，４４２号に記載したものと類似して、減衰した正弦曲線波形の打切りポイントを連続的に求める方法も教示している。しかし、この特許は、正弦曲線波形の送出には適用されない。この米国特許第５，９７８，７０６号は、患者の抵抗の測定を必要とする打切り方法を開示している。具体的には、患者のインピーダンスに基づいて打切り時刻を求めるための事前に計算された設計ルールが実施される。患者のインピーダンスは、波形の送出中に、連続的に測定されて離散的に更新される。この方法は、ショック送出中に実時間でインピーダンスを測定するのではなく、ショックの送出前にインピーダンスを測定することに依拠している。
【００１４】
Lermanは、米国特許第４，５７４，８１０号、第４，７７１，７８１号、および第５，０８８，４８９号において、正弦曲線電流を経胸的ディフィブリレーション（transthoracic defibrillation）パドル／電極に送出し、次いで、その結果生成された電極間の電圧を測定する方法を開示している。次いで、この電圧を使用して、患者の経胸抵抗が求められる。次いで、この抵抗値を使用して、ショックの送出前に、コンデンサを充電する電圧をスケーリングすることにより、続くショックがスケーリングされる。この方法は、波形のピーク電流が制御パラメータとなるので、電流ベースのプロセスと等価である。
【００１５】
Charbonnier他は、米国特許第４，３２８，８０８号において、所定の蓄積エネルギーを与えてピーク出力電流を測定することにより、経胸抵抗を計算する方法を提案している。計算は、減衰した正弦波形の送出中に行われる。これらのデータを使用して、送出エネルギーが求められ、抵抗が事前に設定された境界を越えている場合には、警報音がトリガされる。米国特許第５，１１１，８１３号では、Charbonneier他は、電流の代わりに「インピーダンス正規化送出エネルギー（impedance normalized delivered energy）」を具体的に述べている。
【００１６】
Gliner他は、米国特許第５，５９３，４２７号、第５，６０１，６１２号、第５，６０７，４５４号、第５，６２０，４７０号、第５，７３５，８７９号、第５，７４９，９０４号、第５，７４９，９０５号、第５，７７６，１６６号、第５，８０３，９２７号、第５，８３６，９７８号、第６，０４７，２１２号において、打切り型指数関数波形を患者に送出する方法を開示している。パルスが送出されると、蓄積コンデンサの残存電圧が監視される。一定の状況下では、電圧が一定の値に減衰すると、波形またはその第１相が打切られる。一方、ほとんど時間が経過していないか、または、あまりにも多くの時間が経過すると、波形の打切りを早くまたは遅く行うことができる。
【００１７】
LopinおよびAvatiは、米国特許第５，７３３，３１０号、第５，７６９，８７２号、第５，７９７，９６８号、第５，８００，４６２号、第５，８００，４６３号、第５，９０４，７０６号、第６，０９６，０６３号において、ディフィブリレータの放電の直前に印加される「検出パルス」を使用することにより、患者の抵抗を測定する方法を記載している。このパルスは、電圧として印加され、次いで、その結果生成された電流が測定され、抵抗の計算に使用される。
【００１８】
米国特許第５，２０１，８６５号において、Kuehnは、コンデンサが精密抵抗器を通って放電するのに要する時間を測定し、次いで、この時間を、同じコンデンサが患者の負荷を通って放電するのに要する時間と比較することにより、リード線インピーダンスを測定する方法を開示している。
【００１９】
米国特許第５，５４９，６４３号および第５，６４５，５７３号において、KrollおよびSmithは、コンデンサの電圧が一定の割合だけ減衰するのを最初に待つことにより、コンデンサ放電による打切り型指数関数波形のディフィブリレーションショックの継続時間のタイミングを取る方法を記載している。次いで、この方法は、この割合を越えた一定の継続時間分、波形を延ばす。
【００２０】
「A Controlled-Power Arbitrary Waveform Method of Defibrillation」（２０００年３月、パーデュ大学）という題名の博士論文において、Havelは、出力電流も負荷抵抗も測定することなく、負荷への出力電力を瞬時に制御する方法を提示している。この方法は、蓄積コンデンサの電圧をフィードバックパラメータとして使用するパルス幅変調制御方式を使用する。したがって、出力電力は、エネルギー蓄積コンデンサの減衰率を積極的に計算することにより制御される。
Carsten他に発行された米国特許第５，４８１，２３８号、Johnson他に発行された米国特許第５，６２９，８４２号、およびCharlesに発行された米国特許第５，１６５，１６２号には、合成インダクタを降圧レギュレータおよび昇圧レギュレータにおいていかに組み立てることができるかが記載されている。例えば、米国特許第５，６２９，８４２号には、米国特許第５，１６５，１６２号における、巻き線が巻かれたセグメント化トロイダルコアを有するインダクタを含めて、複数巻きのワイヤから形成されるトロイダルインダクタ部材が記載されている。
【００２１】
通常、ＩＣＤは、さまざまなディフィブリレーション波形を提供する能力を有する。主として、これらの波形は、打切り型指数関数波形パルスとして適用される単相性波形または二相性波形のいずれかを有する。しかしながら、臨床では、患者の抵抗の変化を考慮した装置および方法が必要とされている。患者のインピーダンスは、多種多様な原因のいずれによっても変化し、ディフィブリレーション波形パルスは、医師がプログラムしたものよりもはるかに少ないエネルギーしか供給しないことがある。したがって、本発明で開示するように、インピーダンスの変化が存在する状況において、一貫したエネルギー量を供給する新たな方法が必要とされている。
［発明の概要］
本発明は、ＩＣＤによって検出された負荷インピーダンスを自動的に補償することにより、制御可能なエネルギー量を患者に送出する構造および方法を概説したものである。
【００２２】
高速のスイッチング電力変換器の出現により、高エネルギーの任意波形を高効率で生成することが可能になった。線形増幅器と異なり、スイッチング電力変換器は、高エネルギーの波形を、所望の波形のサイズおよび振幅には依存しない効率で送出することができる。線形増幅器は、出力に要求される電圧よりも高い電圧の供給を受けなければならない。次いで、ＩＣＤ回路は、損失要素を通じてこの電圧を必要なエネルギーに下げ、所望の出力電圧または出力電流を達成しなければならない。スイッチング電力変換器を使用して所望のエネルギーを患者に送出するＩＣＤは、送出するエネルギーをコンデンサに蓄積する。次いで、変換器は、出力回路の内外で蓄積コンデンサを高速に切換えることにより、このエネルギーを、任意の形状を有する出力電圧波形または出力電流波形に変形する。
【００２３】
本発明を使用した実際のシステムは、変換プロセスにおいて多少のエネルギー損失を受けることになる。この損失は、出力波形の継続時間および形状を最適に制御する機能を介して補償することができる。従来のコンデンサ放電され打切り型指数関数波形よりも少ない送出エネルギーでディフィブリレーションを行ういくつかの波形が、上昇波形を含めて、理論的および臨床的の双方で示されている。理論構築および臨床による証明は、ほとんどの波形が、特定の継続時間においてより効果的にディフィブリレーションを行うことを実証している。
【００２４】
ディフィブリレーションショックの瞬時電力の要件は、ＩＣＤの場合、３ｋＷ程度である。この電力レベルは、高すぎることから、バッテリから瞬時に引き出すことはできない。したがって、スイッチング電力変換器の場合であっても、任意波形能力を有するＩＣＤは、コンデンサなどの別の回路要素にショックエネルギーを事前に蓄積する必要がある。スイッチング電力変換器は、入力に対して出力電圧または出力電流を昇圧するか、または、降圧する能力を有するが、実用上の制約条件が存在する。この変換器から出力される全エネルギーに効率損失を加えたものは、システムに入力されるエネルギーに等しくなければならない。このようなことから、事前に蓄積されたコンデンサ内のエネルギーは、波形送出エネルギーに制約を加える。したがって、このコンデンサのエネルギーが完全に消費された際に波形が歪むことを防止するために、負荷インピーダンスの変化する範囲にわたって、全送出エネルギーを制御する方法が必要とされる。
【００２５】
本発明は、蓄積コンデンサの電圧が、波形の送出中に監視される実施の形態を提供する。エネルギー変換器が、送出電流または送出電圧のいずれかを制御することにより、その変換器から患者にエネルギーを送出する。好ましい波形は、一般に「ランプ」波形と呼ばれ、時間の経過と共に上昇する電圧制御された波形である。別の実施の形態では、ＩＣＤは、波形の送出中に、全負荷インピーダンスを測定し、次いで、波形の形状および継続時間を調整して補償を行う。
【００２６】
後に明らかになるように、代替的な波形を使用することにより、標準的な二相性打切り型指数関数波形のディフィブリレーションの有効性を改善することができる。これらの新しい代替的な波形には、単相または多相を有する上昇ランプ波形に加えて方形波形が含まれる。しかしながら、ＩＣＤにおいてこれらの波形を実施し、実現可能とするには、効率的でかつ小さな電力変換回路部が必要とされる。
【発明を実施するための最良の形態】
【００２７】
次に、図１を参照して、この発明のＩＣＤ型システムを構成するディフィブリレータ１０ならびにリード線１５および１６が示されている。図示したリード線は、例示であり、他の特定の形態のリード線もこの発明の範囲内に含まれることに留意されたい。これについては、例えば、米国特許第４，９３２，４０７号および第５，１７４，２８８号ならびに第５，２６１，４００号を参照されたい。これらの米国特許のすべては、それらの全内容が参照により援用される。心室リード線１６は、図示するように、その遠位端に隣接して位置する伸縮螺旋電極２６およびリング電極２４を有する。この螺旋電極は、絶縁ヘッド２７内に格納可能に取り付けられている。電極２４および２６は、双極心室ペーシング用に、および心室脱分極の検知用に使用される。電極２４および２６が、双極ペーシングおよび検知用に使用できる一方で、電極２６は、デバイスケーシング１１の表面と共に使用することができ、この表面は、単極動作と呼ばれる動作において、共通電極または不関電極として機能する。また、心室リード線１６は、コイル電極２０も保持する。このコイル電極２０は、ＲＶ（右心室（right ventricular））コイルと呼ばれることもあり、ディフィブリレーションパルスおよび／またはカーディオバージョンパルスを送出する。コイル電極２０は、遠位先端が心室の心尖にある場合に、コイル２０が右心室に位置するように、リード線１６に位置する。また、リード線１６は、任意選択で、鎖骨下静脈に位置する上大静脈（ＳＶＣ（superior vena cava））コイル３０も保持することができる。このＳＶＣコイル３０は、カーディオバージョンパルスの電位図検知および／または印加に使用することができる。リード線１６は、それぞれの同軸コイル導体（図示せず）を保持する。これらの同軸コイル導体は、管状絶縁被覆などの適切な手段によって互いに分離され、リード線の全長にわたって延び、ＩＣＤデバイス１０と電極２０、２４、２６、および３０のそれぞれのものとの間の電気接続を行う。
【００２８】
心房リード線１５は、図示するように、その遠位端に隣接して位置する伸縮螺旋電極１７およびリング電極２１を有する。この螺旋電極は、絶縁ヘッド１９内に格納可能に取り付けられている。電極１７および２１は、双極心房ペーシング用に、および心房脱分極の検知用に使用される。電極１７および２１が、双極ペーシングおよび検知用に使用できる一方で、電極１７は、デバイスケーシング１１の表面と共に使用することができ、この表面は、単極動作と呼ばれる動作において、共通電極または不関電極として機能する。この例では、心房リード線１５が、カーディオバージョンパルスまたはディフィブリレーションパルスの検知および送出に使用されるコイルを備えていないことに留意されたい。これは、本発明と共に有利に使用できるこのような用途が含まれるのを排除することを意味するものではない。
【００２９】
埋め込み可能ＩＣＤ型デバイス、すなわちディフィブリレータ１０は、リード線コネクタ組立品１３、１４、１８、および２２がこのデバイス１０のコネクタブロック１２に挿入された状態で、心房リード線および心室リード線と共に示されている。この心室リード線と共に使用できるディフィブリレーションパルス発生器の具体的な例は、米国特許第４，９５３，５５１号に開示されている。他のＩＣＤ型ユニットを使用することもできる。これについては、カーディオバージョンパルスおよびディフィブリレーションパルスを送出する装置の例示の形態を開示するものとして、米国特許第５，１６３，４２７号および第５，１８８，１０５号を参照されたい。本明細書で用いる場合、用語「ＩＣＤ型」デバイスは、不整脈を制御するペーシング治療およびショック治療の双方に適用できるあらゆるデバイスを指す。
【００３０】
図２は、本発明を有効に実施することができる埋め込み可能ＩＣＤの概略機能図である。本発明は、多種多様なデバイスの実施態様で有効に実践できると考えられるので、この図は、本発明を具体化できるデバイスの型の例示と解釈されるべきであり、限定するものと解釈されるべきではない。この多種多様なデバイスの実施態様には、心室性不整脈に代えてまたは心室性不整脈に加えて、心房性不整脈を処置する治療を供給するデバイス、抗頻脈ペーシング治療を供給しないカーディオバータおよびディフィブリレータ、カーディオバージョンもディフィブリレーションも供給しない抗頻脈ペーサ、ならびに神経刺激や薬物投与などのさまざまな形態の抗不整脈治療を送出するデバイスが含まれる。
【００３１】
このデバイスには、電極を含んだリード線システムが設けられる。このリード線システムは、図１に示すようなものであってもよい。もちろん、代替的なリード線システムを代用することもできる。図１の電極構成が使用される場合、図示した電極との対応は次のとおりである。電極３１１は、電極１６に対応し、埋め込み可能ＩＣＤのハウジングの絶縁されていない部分である。電極３２０は、電極２０に対応し、右心室に位置するディフィブリレーション電極である。電極３１８は、電極３０に対応し、ＳＶＣに位置するディフィブリレーション電極である。電極３２４および３２６は、電極２４および２６に対応し、心室における検知およびペーシング用に使用される。電極３１７および３２１は、電極１７および２１に対応し、心房におけるペーシングおよび検知に使用される。
【００３２】
電極３１１、３１８、および３２０は、高電圧出力回路２３４に接続される。電極３２４および３２６は、心室上または心室内に位置し、かつ、Ｒ波増幅器（ＡＭＰ）２００に接続される。Ｒ波増幅器２００は、測定されたＲ波振幅に応じ調整可能な検知閾値を提供する自動利得制御増幅器の形態を取ることが好ましい。電極３２４と３２６との間で検知される信号が、この検知閾値を越えるたびに、Ｒ ＯＵＴ線２０２に信号が生成される。
【００３３】
電極３１７および３２１は、心房上または心室内に位置し、かつ、Ｐ波増幅器（ＡＭＰ）２０４に接続される。Ｐ波増幅器２０４も、測定されたＰ波振幅に応じて調整可能な検知閾値を提供する自動利得制御増幅器の形態を取ることが好ましい。電極３１７と３２１との間で検知される信号が、この検知閾値を越えるたびに、Ｐ ＯＵＴ線２０６に信号が生成される。Ｒ波増幅器２００およびＰ波増幅器２０４の一般的な動作は、１９９２年６月２日にApparatus for Monitoring Electrical Physiologic Signalsに対して発行されたKeimel他による米国特許第５，１１７，８２４号に開示されたものに対応することができる。この米国特許は、その全内容が参照により本明細書に援用される。
【００３４】
スイッチマトリックス２０８は、利用可能な電極のいずれをデジタル信号解析用の広帯域（０．５〜２００Ｈｚ）増幅器（ＡＭＰ）２１０に接続するかを選択するのに使用される。電極の選択は、アドレス／データバス２１８を介してマイクロプロセッサ（μＰ）２２４により制御される。いずれを選択するかは、要望に応じて変化させることができる。選択されて帯域通過増幅器（ＡＭＰ）２１０に接続された電極からの信号は、マルチプレクサ（ＭＵＸ）２２０に供給され、その後、Ａ／Ｄ変換器２２２によってマルチビットデジタル信号に変換され、ダイレクトメモリアクセス（ＤＭＡ）回路２２８の制御下でランダムアクセスメモリ（ＲＡＭ）２２６に記憶される。マイクロプロセッサ２２４は、デジタル信号解析技法を使用して、ランダムアクセスメモリ２２６に記憶されたデジタル化信号を特徴付け、この技術において既知の多数の信号処理法のいずれかを使用して、患者の心臓の調律を認識して分類することができる。
【００３５】
ＩＣＤの不整脈検出方法には、従来技術の頻脈性不整脈検出アルゴ調律を含めることができる。後述するように、現在利用可能なMedtronic社のＩＣＤの心室性不整脈検出法全体が、開示した本発明の好ましい実施の形態による不整脈検出／分類方法の一部として使用される。しかしながら、上記発明の背景の節で解説したような、この技術において既知のさまざまな不整脈検出法のいずれをも、埋め込み可能ＩＣＤの代替的な実施の形態に有効に使用することができる。
【００３６】
心室カーディオバージョンパルスおよび心室ディフィブリレーションパルスの送出および同期ならびにそれら送出および同期に関係したタイミング機能の制御に適したシステムの一実施の形態は、本発明の譲受人に譲渡され、１９９３年２月２３日に発行されたKeimelによる米国特許第５，１８８，１０５号に、より詳細に開示されている。この米国特許は、その全内容が参照により本明細書に援用される。心房ディフィブリレーションの能力がデバイスに含まれる場合において、心房カーディオバージョンパルスおよび心房ディフィブリレーションパルスの送出および同期ならびにそれら送出および同期に関係したタイミング機能の制御に適したシステムは、１９９２年１０月２９日に公開されたAdams他によるＰＣＴ特許出願第ＷＯ９２／１８１９８号、および、１９８２年２月２３日に発行されたMirowski他による米国特許第４，３１６，４７２号に見ることができる。これらの双方とも、その全内容が参照により本明細書に援用される。
【００３７】
カーディオバージョンパルスまたはディフィブリレーションパルスの生成が必要になると、マイクロプロセッサ２２４は、補充間隔タイマを使用して、このようなカーディオバージョンパルスおよびディフィブリレーションパルスならびに関連する不応期のタイミングを制御する。カーディオバージョンパルスを必要とする心房もしくは心室の細動または頻脈性不整脈の検出に応答して、マイクロプロセッサ２２４は、カーディオバージョン／ディフィブリレーション制御回路部２３０を起動する。カーディオバージョン／ディフィブリレーション制御回路部２３０は、高電圧充電制御線２４０の制御下にある充電回路２３６を介して、高電圧コンデンサ２４６、２４８の充電を開始する。高電圧コンデンサの電圧は、Ｖ ＣＡＰ線２４４を介して監視される。この電圧は、マルチプレクサ２２０を通る。そして、この電圧が、マイクロプロセッサ２２４によって設定された所定の値に達したことに応答して、コンデンサフル（Ｃ．Ｆ．）線２５４に論理信号が生成され、充電は終了する。その後、ディフィブリレーションパルスまたはカーディオバージョンパルスの送出タイミングが、ペーサタイミング／制御回路部２１２によって制御される。細動治療または頻脈治療の送出に続いて、マイクロプロセッサは、次に、デバイスを心臓ペーシングに戻し、ペーシングによる次の後続の割り込み、または、検知される心房もしくは心室の脱分極の発生の待ち状態となる。
【００３８】
しかしながら、既知のあらゆるカーディオバージョンパルスまたはディフィブリレーションパルスの制御回路部が、本発明と共に使用可能であると考えられる。例えば、カーディオバージョンパルスおよびディフィブリレーションパルスのタイミングおよび生成を制御する回路部としては、１９８３年５月２４日にZipesに発行された米国特許第４，３８４，５８５号に開示されたもの、上記で引用したPless他に発行された米国特許第４，９４９，７１９号に開示されたもの、およびEngle他に発行された米国特許第４，３７５，８１７号に開示されたものを使用することもできる。これらの特許はすべて、その全内容が参照により本明細書に援用される。
【００３９】
図示したデバイスでは、カーディオバージョンパルスまたはディフィブリレーションパルスの送出は、制御バス２３８を介して制御回路部２３０の制御の下、出力回路２３４によって行われる。出力回路２３４は、単相性パルスを送出するのか、それとも二相性パルスを送出するのかの決定、ハウジング３１１が陰極として働くのか、それとも陽極として働くのかの決定、およびどの電極をパルスの送出に関与させるかの決定を行う。打切り型指数関数波形の送出に関する出力回路２３４のさらなる詳細については、図３Ａを参照されたい。また、本発明の主題である任意波形の送出については、図５を参照されたい。二相性パルス療法の送出用の出力回路部の一例は、Mehraに発行された上記引用特許および米国特許第４，７２７，８７７号に見ることができる。この米国特許第４，７２７，８７７号は、その全内容が参照により援用される。
【００４０】
単相性パルスの送出の制御に使用できる回路部の一例は、本発明の譲受人に譲渡され、１９９２年１１月１７日に発行されたKeimelによる米国特許第５，１６３，４２７号に述べられている。この米国特許も、その全内容が参照により本明細書に援用される。一方、１９９０年９月４日にMehra他に発行された米国特許第４，９５３，５５１号または１９８９年１月３１日にWinstromに発行された米国特許第４，８００，８８３号に開示された出力制御回路部も、二相性パルスの送出用に本発明を具体化するデバイスと共に使用することができる。これらの双方の米国特許は、その全内容が参照により本明細書に援用される。他方、米国特許第４，８００，８８３号の図５に示すものに類似した回路部を、本発明の一部として開示することにする。この回路部は、任意波形を生成するのに使用され、例えば、とりわけ上昇ランプ波形および方形波形を生成するのに使用される。
【００４１】
細動が特定されると、一般的な治療では、通常、５ジュールを越える高振幅ディフィブリレーションパルスが送出されることになる。カーディオバージョンの場合には、これより低いレベルのエネルギーを使用することができる。現在利用可能な埋め込み可能ＩＣＤの場合と同様に、また、上記引用した参考文献で解説されているものと同様に、１つまたは複数の初期のパルスが細動を終結させるのに失敗した場合に応じて、ディフィブリレーションパルスの振幅を増大できることが考えられる。このような抗頻脈性不整脈治療の事前に設定された治療メニューを説明した従来技術の特許には、上記引用した、Haluska他に発行された米国特許第４，８３０，００６号、Vollmann他に発行された米国特許第４，７２７，３８０号、およびHolley他に発行された米国特許第４，５８７，９７０号が含まれる。
【００４２】
回路部の残りの部分は、心臓ペーシング治療、カーディオバージョン治療およびディフィブリレーション治療の供給に専用化され、本発明では、従来技術において既知の回路部に対応することができる。ペーシングを行う例示の装置を開示し、その後、カーディオバージョン機能およびディフィブリレーション機能を開示する。ペーサタイミング／制御回路部２１２は、プログラマブルデジタルカウンタを含む。このプログラマブルデジタルカウンタは、ＤＤＤ、ＶＶＩ、ＤＶＩ、ＶＤＤ、ＡＡＩ、ＤＤＩ、ならびにこの技術に既知の信号および二腔ペーシングの他のモードに関連した基本時間間隔を制御するものである。また、回路部２１２は、この技術に既知の任意の抗頻脈性不整脈ペーシング治療を使用して、心房および心室の双方の抗頻脈性不整脈ペーシングに関連した補充間隔も制御する。
【００４３】
ペーシング回路部２１２によって規定される間隔には、検知されたＰ波が補充ペーシング間隔（escape pacing interval）のタイミングを再開しない不応期である心房ペーシング補充間隔と、検知されたＲ波が補充ペーシング間隔のタイミングを再開しない不応期である心室ペーシング補充間隔とが含まれる。これらの間隔の継続時間は、メモリ２２６に記憶されたデータに応じて、マイクロプロセッサ２２４によって決定され、アドレス／データバス２１８を介してペーサタイミング回路部２１２に伝達される。また、ペーサタイミング回路部２１２は、マイクロプロセッサ２２４の制御の下、心臓ペーシングパルスの振幅およびパルス幅も決定する。
【００４４】
ペーシング中、ペーサタイミング／制御回路部２１２内の補充間隔タイマは、信号線２０２の信号によって示されるＲ波および信号線２０６の信号によって示されるＰ波の検知時にリセットされ、また、選択されたペーシングモードに応じて、ペーサ出力回路部（Ａペース）２１４および（Ｖペース）２１６によるペーシングパルスのタイムアウトトリガ生成時にリセットされる。ペーサ出力回路部２１４は、電極３１７および３２１に接続され、ペーサ出力回路部２１６は、電極３２４および３２６に接続されている。また、補助収縮間隔タイマは、ペーシングパルスの生成時にもリセットされ、それによって、抗頻脈性不整脈ペーシングを含めて、心臓ペーシング機能の基本タイミングを制御する。補充間隔タイマによって規定される間隔の継続時間は、アドレス／データバス２１８を介してマイクロプロセッサ２２４により決定される。Ｒ波およびＰ波の検知によるリセット時に補充間隔タイマに存在するカウント値を使用して、Ｒ−Ｒ間隔、Ｐ−Ｐ間隔、Ｒ−Ｒ間隔、およびＲ−Ｐ間隔の継続時間を測定することができる。これらの測定値は、メモリ２２６に記憶され、後に詳述するように、本発明と共に使用されて、さまざまな頻脈性不整脈の発生が診断される。
【００４５】
マイクロプロセッサ２２４は、割り込み駆動型デバイスとして動作し、ペーサタイミング／制御回路部２１２からの、検知されるＰ波およびＲ波の発生に対応する割り込み、ならびに、心臓ペーシングパルスの生成に対応する割り込みに応答する。これらの割り込みは、アドレス／データバス２１８を介して供給される。このような割り込みに続いて、必要なあらゆる数学的計算がマイクロプロセッサ２２４によって実行され、ペーサタイミング／制御回路部２１２によって制御される値または間隔のあらゆる更新が行われる。メモリ２２６の一部は、一連の測定された間隔を保持できる複数の再循環バッファとして構成することができる。この一連の測定された間隔を、ペース割り込みまたは検知割り込みの発生に応答して解析して、患者の心臓が、現在、心房頻脈性不整脈を示しているのか、それとも心室頻脈性不整脈を示しているのかを判断することができる。
【００４６】
心房頻脈性不整脈または心室頻脈性不整脈が検出され、かつ、抗頻脈性不整脈ペーシング療法が望まれている場合には、抗頻脈性不整脈ペーシング治療の生成を制御するのに適したタイミング間隔が、マイクロプロセッサ２２４からペーサタイミングおよび制御回路部２１２にロードされて、その内部の補充間隔タイマの動作が制御され、Ｒ波およびＰ波の検出が補充間隔タイマの再開に効果を有さない不応期が規定される。あるいは、抗頻脈ペーシングパルスのタイミングおよび生成を制御する回路部として、１９８６年３月２５日にBerkovits他に発行された米国特許第４，５７７，６３３号、１９８９年１１月１４日にPless他に発行された米国特許第４，８８０，００５号、１９８８年２月２３日にVollmann他に発行された米国特許第４，７２６，３８０号、および１９８６年５月１３日にHolley他に発行された米国特許第４，５８７，９７０号に記載されたものを使用することもできる。これらの米国特許のすべては、その全内容が参照により本明細書に援用される。
【００４７】
現代のＩＣＤでは、医師は、一般に提供される治療メニューから、特定の治療をデバイスにプログラムする。例えば、心房性頻脈または心室性頻脈を最初に検出すると、抗頻脈ペーシング治療を選択して、頻脈が診断された一方の腔または双方の腔に送出することができる。頻脈を再度検出すると、より積極的な抗頻脈ペーシング治療を計画することができる。抗頻脈ペーシング治療を繰り返し試みたが、失敗に終わった場合には、より高エネルギーのカーディオバージョンパルスを選択し、続いて送出することができる。頻脈の検出率が増加するにつれて、治療の積極性も増大することから、頻脈治療の終了は、頻脈の検出率によっても変化し得る。例えば、頻脈の検出率が、事前に設定された閾値未満である場合には、カーディオバージョンパルスの送出前に着手し得る抗頻脈ペーシングの試みは少なくなる。従来技術の頻脈検出および処置治療の説明と共に上記で引用した参考文献も同様に、ここに適用することができる。
【００４８】
図３Ａおよび図３Ｂを参照して、図３Ａに記載した型の回路を使用して、図３Ｂの単相性打切り型指数関数波形５０が生成されるということが、当業者には認識されよう。図３Ａを参照して、ＩＣＤバッテリ４０は、コンデンサ充電回路４１に電圧を供給し、コンデンサ充電回路４１は、コンデンサ４２にエネルギーを送出する。ディフィブリレーション波形の形成の開始時において、スイッチ４４が閉じ、電圧が患者／抵抗４６の両端に送出される。この実施の形態では、図３Ｂに示すように、電圧メータ（Ｖ）４８によって測定される電圧は、Ｖｉ５２およびその後Ｖｆ５４に減衰する傾向線によって規定される。この波形のある時点において、スイッチ４４が再び開く。したがって、波形は、Ｖｆ５４において打切られる。
【００４９】
この実施の形態の方法は、波形５０の電圧（Ｖｆ）５４が一定のレベルに達すると、波形５０を打切ることである。当業者には理解されるように、波形５０の電圧は、送出エネルギーに比例する。電圧が、初期電圧（Ｖｉ）５２から最終電圧（Ｖｆ）５４に減衰するとして、式１は、波形５０の開始時においてコンデンサに残っている電圧に対する送出エネルギーを定義する。
【００５０】
【数１】
2005511164.tif 000003
ここで、Ｕ＝エネルギー、Ｃ＝容量、Ｖ＝電圧である。
具体的には、式２が、Ｖｆ５４に対するエネルギーを定義する。
【００５１】
【数２】
2005511164.tif 000004
ここで、Ｕ＝エネルギー、Ｃ＝容量、Ｖ＝電圧である。
【００５２】
上述したように、電圧は、Ｖｉに増加し、Ｖｆに減少する。具体的には、スイッチ４４が開くと、波形は打切られる。本発明の一態様は、波形が打切られるべき時点を決定することである。波形は、コンデンサ４２の残存エネルギーを求めることにより打切られる。アルゴ調律としては、任意の所与の初期電圧および最終電圧におけるＵ１とＵ２との差が、送出可能なエネルギーの大きさを与える。したがって、エネルギーが、波形の適切な最終電圧で打切られるまでの間、ＩＣＤは、必要なエネルギーを負荷に送出することになる。電圧メータ４８の電圧が、所望の最終電圧に達すると、スイッチが開き、波形は打切られる。
【００５３】
「固定傾き法（fixed tilt method）」と呼ばれる別の実施の形態では、放電の開始前にコンデンサに印加される立ち上がり電圧量が、設計および製造段階の期間に設定される。傾きは、電圧が波形の経過に伴って減衰する割合として定義される。固定傾き法では、この傾きの割合が、負荷にかかわらず固定のままにされる。これは、インピーダンスが高い患者ほど、コンデンサの放電時間が長くなることを意味する。しかし、波形は、依然として同じ時点で打切られる。したがって、固定傾き法では、送出エネルギーが、固定のままにされる。
【００５４】
いずれの実施の形態でも、医師に必要とされることは、所望のエネルギー（ジュールによる）をプログラムすることだけであり、それによって、プログラムされた値に対応する波形が送出される。
【００５５】
ＩＣＤの出力電圧または出力電流が、波形の送出中に積極的に制御されると、新たな問題が発生する。全送出エネルギーが、患者の負荷抵抗に依存するようになる。ＩＣＤは、使用可能なエネルギーをコンデンサに事前に蓄積するので、負荷抵抗に依存した特に２つのシナリオが発生し得る。第１に、蓄積されたエネルギーが十分でないことから、所望の波形を送出できない場合がある。あるいは、波形が送出された後に、蓄積コンデンサに使用可能なエネルギーが過剰に存在する場合がある。第１の場合には、波形が歪むかまたはカットオフされる可能性がある。一方、後者の場合には、ディフィブリレーションの成功率をさらに改善する可能性を有するエネルギーが浪費される。
【００５６】
本発明の重要な態様の１つは、１人の患者における負荷の変化または患者ごとに臨床的に見られる負荷の変化にかかわらず、一貫したエネルギー量を患者に送出することを維持することである。この一致により、出力波形の積極的な制御を有するＩＣＤは、波形の送出時に可能な限り多くの蓄積エネルギーを使用することが可能になる。医師が、カーディオバージョン治療またはディフィブリレーション治療中に送出する必要のあるエネルギー量（ジュールによる）をプログラムすると、たとえ患者内の負荷インピーダンスがどのようなものであっても、その医師は、このエネルギー量が送出されることを確信すべきである。本発明は、患者の負荷が変化しても、確実にプログラムされたエネルギーが送出される。
【００５７】
図４は、本発明の任意波形を生成するために実施される回路のブロック図である。ＩＣＤバッテリ４０が、充電トランス６０にエネルギーを送出し、次いで、充電トランス６０が、コンデンサ４２にエネルギーを運ぶ。ディフィブリレーション波形の形成の開始時において、スイッチング電力変換器６２が、患者の抵抗／負荷６４にかかわらず、コンデンサ４２に蓄積されたエネルギーを任意の波形の形状（図５および図６を参照）に変形する。
【００５８】
スイッチング電力変換器６２（詳細については、図７を参照）により、デバイスは、コンデンサ４２に蓄積されたエネルギーを任意波形の形状に変形するだけでなく、出力電圧をステップダウンさせることが可能になる。開始時に利用可能なエネルギー量が、唯一の制約条件である。ＩＣＤは、より多くのエネルギーを生成できないが、本発明によれば、エネルギーが送出される方法、すなわち波形の形状を、さまざまな要件を満たすように調整することができる。したがって、インピーダンス／負荷が変化するという問題は、回路が、任意波形の形状を負荷に対して送出でき、したがって、負荷インピーダンスにかかわらず一貫したエネルギーを送出できることから、本発明によってうまく対処することができる。
【００５９】
現在のＩＣＤは、一般に必要とされるものよりも多くのエネルギーによりディフィブリレーションを行う。有用な目標は、送出エネルギーの使用を少なくすること、および／または、利用可能なエネルギーをより効率的に使用することである。この目標が達成できる場合に、そのように装備されたＩＣＤは、より低いジュール出力により同じ結果を達成することになる。現在のシステムは、単相性または二相性のいずれかの打切り型指数関数波形によりその結果を達成する。患者のディフィブリレーションを行うのに必要なエネルギー量を削減する理論的基礎に基づく他の波形も示されている。上述したHuangの調査は、必要なエネルギー量の削減を助ける１つの異なる可能性としてランプ波形を挙げている。
【００６０】
図５は、本発明によるランプ波形の図である。この実施の形態では、波形が送出されると、蓄積コンデンサの電圧が監視される。コンデンサは、事前に所定の電圧に充電され、それによって、波形の送出のための所望のエネルギー量を蓄積する。スイッチング電力変換器６２（図４）は、送出電流または送出電圧を制御することにより、コンデンサから患者にエネルギーを送出する。好ましい波形は、図５に示すランプ波形と同様に、時間の経過と共に次第に増加する、電圧制御された波形である。パルス幅およびピーク振幅の双方が負荷変動を補償できるようにするために、この波形を一定のスルーレートで制御することができる。エネルギー変換器が、波形の送出中に、コンデンサが一定の値に減衰した時の電圧によって決定される特定のエネルギー量を消費すると、多相性波形（multi-phasic waveform）または多分割波形（multi-segmented waveform）の場合には、波形、すなわちその波形の一部が打切られる。この好ましい波形により、患者の負荷インピーダンスが大きいほど、その患者は、波形７０から波形７４へ波形を長くし、ピーク電圧７２からピーク電圧７６へピーク電圧を高くした波形を受けることになる。図５に示すような電圧制御された波形の代わりに、電流制御された出力波形を使用することもできる（図示せず）。電圧制御であろうと電流制御であろうと、依然として、負荷に対して送出される全エネルギー量は、患者の負荷インピーダンスとは無関係に一貫したものとなる。図４を参照して以下に詳述するように、上昇波形の勾配または上昇率を設定すること、ならびに、蓄積コンデンサの充電電圧を調整することおよび波形の打切り時の蓄積コンデンサの電圧を調整することにより、電圧制御された波形または電流制御された波形のいずれもスケーリングされ、これにより、オペレータは、送出される所望のエネルギーを選択することが可能になる。したがって、好ましい実施の形態では、エネルギー変換器は、コンデンサの電圧をインピーダンスに変換せずに測定する。次いで、エネルギー変換器は、送出エネルギーに基づいてパルスを打切る。
【００６１】
図６は、本発明のさらに別の実施の形態において実施されるランプ波形の図である。この実施の形態では、デバイスは、小部分のエネルギー８０から８２の送出に要する時間にわたって抵抗を測定する。この結果、コンデンサの電圧が一定の割合だけ減衰するのに要する時間の長さが判明する。例えば、デバイスは、コンデンサから１ジュールのエネルギーを消費するのにどれだけの時間を要するかを待って見ることができる。次いで、この時間量に対する出力波形の電圧が判明すると、デバイスは、式３および式４に基づいて抵抗を実時間で計算することができる。この解析に基づいて、エネルギー変換器は、パルス８２から８４のパルスが延びる量を知り、負荷インピーダンスとは無関係にプログラムされたレベルのエネルギー（ジュール）を送出する。本発明の一態様は、波形の最初の部分の間、送出エネルギーを時間に応じて監視し、次いで、その情報を使用して抵抗を計算する方法である。患者のインピーダンスが判明すると、波形によって送出されるエネルギー量が一致するように、波形の残りの部分の振幅がスケーリングされる。したがって、図６では、デバイスは、ランプ波８０から８２の最初の部分の間は、一定の率で上昇する電圧を送出する。デバイスが抵抗を計算するのは、ランプのこの部分の間である。次いで、インピーダンスが高い場合には、電圧は、抵抗が低い場合よりも速い率８２から８４で上昇することになる。いずれにしても、本発明により、変化する負荷および／または未知の負荷に対して、一貫したエネルギー量の送出が可能になる。本発明の有益な実施態様の１つは、時間の経過と共に発生する埋め込み型デバイスの変化および患者抵抗の変化に関するものである。例えば、リード線は、年および他の因子に基づいて負荷または電圧の変化を示すことがあり、患者のインピーダンスは、時間の経過と共に変化することがある。これらの変動にもかかわらず、本発明では、引き続き、送出エネルギー出力を望ましいエネルギー出力と一貫したものとすることが可能である。
【００６２】
次に、この実施の形態で使用される式に移る。エネルギー変換器は、蓄積コンデンサが一定の電圧だけ減衰する波形の間の時間ｄの長さを最初に測定することにより、この波形の間の抵抗を測定する。この電圧の割合を使用して、送出エネルギーＵｔが計算されて求められる。カウンタ回路が、ｄである経過時間の追跡を行っている状態で、蓄積コンデンサが一定の閾値に減衰すると、コンパレータ回路は、トリガ信号を送る。スイッチングエネルギー変換器が出力電圧を制御する場合には、抵抗は、以下の式に従って計算される。
【００６３】
【数３】
2005511164.tif 000005
上記式において、γは、エネルギー変換器の効率であり、ｄは、蓄積コンデンサから引き出されるエネルギーＵｔに必要な継続時間であり、Ｖ（ｔ）は、波形の電圧であり、制御電圧出力によるショックの送出前に判明している。
【００６４】
スイッチングエネルギー変換器が、出力電流を制御し、同じ方法を使用する場合には、抵抗は、以下の式に従って計算される。
【００６５】
【数４】
2005511164.tif 000006
上記式において、Ｉ（ｔ）は、送出波形の電流である。患者の抵抗が判明すると、波形による送出エネルギー量が、蓄積コンデンサのエネルギー量と一致するように、送出波形の残りの部分の振幅が計算される。この実施の形態では、電圧が送出されようと電流が送出されようと、スイッチングエネルギー変換器は、波形の初期位置の間でインピーダンスを測定し、次いで、波形の残りの部分の振幅をスケーリングする。
【００６６】
次に図７に移って、スイッチングエネルギー変換器を介して任意波形を実施することに目を向けることにする。スイッチモード電力変換に使用される高周波スイッチング変換器が、この用途に有益である。スイッチング変換器では、リニア電源で使用される連続モードではなく、スイッチングモードでパワートランジスタが使用される。スイッチモード電力変換器は、ステップダウン（降圧）、ステップアップ（昇圧）、または降圧−昇圧の組み合わせとして、その最も簡単な形態で構成することができる。
【００６７】
降圧変換器、すなわちステップダウン変換器は、多くの産業において、ＤＣ−ＤＣ変換の用途に一般に使用される電力変換回路である。このような回路を記載したものは、例えば、Power Electronics: Converters, Applications and Design, Mohan, Undeland and Robbins, John Wiley & Sons, New Yorkを含めて、多くの文献に見ることができる。この用途において、電気要件には、高い効率と、全体のシステムサイズに対する回路の影響を最小にするための小さなコンポーネントサイズとが含まれる。
【００６８】
本発明による実施態様には、昇圧変換器および降圧−昇圧変換器と比較して、降圧構成が適している。降圧構成は、他の２つの設計に対してインダクタの必要性が最も少ない。
図７の一実施の形態には、変換器が示されている。この実施態様では、ＤＣ源電圧が、複数のホールドコンデンサ９３で保持される。ステップダウン変換器は、このＤＣ電圧を電力源として使用する。ステップダウン変換器内では、パルス幅変調（ＰＷＭ）スイッチ９６が、抵抗負荷９５へのインダクタ／コンデンサフィルタを駆動し、降圧変換器で一般的なように、スイッチ９６が閉じると、電流の増加がインダクタ９４の値により制御された状態で、電流は、ホールドコンデンサ９３から供給される。スイッチ９６が開くと、電流は、インダクタ９４に流れ続け、ダイオード９７に順方向バイアスの負荷をかけ続ける。制御回路は、出力電圧を基準波形と比較し、特定の出力電圧を維持する必要に応じて、デューティサイクルを変更する。パルス制御回路９８は、レベルシフト／ハイサイド駆動回路を通じて、変調スイッチ９６を駆動する。図示した実施態様では、これは、光ドライバ９９によって実現される。他の実施の形態では、これは、駆動回路コンポーネントと共に、絶縁としての絶縁形トランスまたは高電圧半導体デバイスにより達成されることが可能である。基準波形は、アナログ基準値によって供給することもできるし、Ｄ／Ａ変換器によって変換されたデジタル化された形態で供給することもできる。図示した制御回路は、誤差増幅器およびパルス幅変調コンパレータによりアナログ方式で実施される。別の実施の形態では、制御回路は、デジタルコントローラにより実施することができる。図示した実施態様では、誤差増幅器は、直線性を得るための高ＤＣ利得および制御ループの安定性を得るためのローパスポール（low pass pole）を有する。ホールドコンデンサ９３の電圧を監視し、それによって、所与の相の間に正確なエネルギーが送出された時点であって、治療パルスの相の変更が行われるべき時点を決定するために、制御回路部（図示せず）が必要とされる。このホールドコンデンサ９３のモニタは、最終相を終了すべき時点を決定することもできる。スイッチは、高電圧ＢＩＭＯＳＦＥＴ、ＦＥＴ、ＩＧＢＴ、または他のスイッチ技術により実施することができる。好ましい実施の形態では、スイッチは、５００ｋＨｚでスイッチングする高電流ＢＩＭＯＳＦＥＴにより実施される。出力フィルタコンデンサ９２は、一般的な０．１の表面実装された高電圧コンデンサである。ダイオード９７は、１０００Ｖの範囲の印加電圧のため、高い逆電圧阻止能力を必要とする。また、ダイオード９７は、スイッチング損失を低減するために、高速の回復特性も必要とする。ダイオード９７の機能は、スイッチ９６がオフである時に制御回路部を有効にするために、制御回路部と協働する半導体スイッチにより実施することもできる。同期変換器または共振変換器としての設計は、ダイオード９７の代わりにこのようなスイッチを含むことになる。絶縁電源１００は、絶縁型トランス、パルストランス、またはブートストラップ電源ポンプにより実施することができる。
【００６９】
スイッチ周波数、ピークインダクタ電流、および出力リップル電圧は、インダクタの要件を規定する。好ましい実施の形態では、インダクタ９４は、共通巻き線を有する２つの高磁束粉末コア（トロイド）からなる０．５ｃｃのスタックであり、４０アンペアのピークインダクタ電流において共通の９μＨを有する約１４μＨのインダクタンスを提供する。他の材料も同様にインダクタ９４に使用することができる。治療パルスの周期およびデューティサイクルは、十分低いので、加熱効果は、インダクタの設計要件には入らない。容積を最小にし、かつ、４０アンペアにおけるインダクタンスの変化を制限するために、できるだけ低いコアの透磁率（例えば、１４）が必要となる。
【００７０】
このような変換器の実施態様には、出力のフィルタリングが必要とされ、インダクタ９４は、このようなフィルタを提供するように埋め込まれる。ＩＣＤのサイズに対する影響を最小にするために、インダクタのサイズを小さく維持しなければならない。インダクタンス値を最小にすることは、全体のサイズの縮小に貢献する。変換器設計のパラメータ制約条件は、インダクタンスの最小値を制限する。これ以外に、電気設計制約条件をなおも満たしつつ、物理設計技法を使用して、物理サイズを縮小しなければならない。
【００７１】
高電圧降圧（ステップダウン）変換器９０は、埋め込み型ＩＣＤデバイスの任意のディフィブリレーション波形発生器に使用することができる。このような変換器の実施には、インダクタ９４を含む出力フィルタコンデンサ９２が必要とされる。埋め込まれたデバイスのサイズに対する影響を最小にするには、インダクタ９４の物理サイズが空間体積効率のよいものでなければならない。変換器設計のパラメータ制約条件は、インダクタ９４の最小値を制限することになる。さらに、電気設計制約条件をなおも満たしつつ、物理設計技法を使用して物理サイズを最小にしなければならない。埋め込み型ＩＣＤの波形に対するインダクタの電気制約条件には、高いＤＣ電流３０アンペアについて、＜２０ｍｓ（ミリ秒）の短い継続時間および±１０アンペアのリップル電流という許容範囲が含まれる。したがって、全体のピーク電流は、４０アンペアになることがある。加熱効果は、パルスのデューティサイクルが非常に低いので重要ではない。インダクタンスの損失を最小限にしたこのような電流の許容範囲には、低透磁率で高磁束の粉末コアなどの材料を使用することが必要とされる。この材料は、コアの飽和を防止しつつ、ＤＣバイアスの高いレベルを可能にする。コアの飽和を防止するには、磁気バイアスをコアに形成することを使用することもできる。
【００７２】
図８は、図７で述べたインダクタの設計を開発するのに使用される１組の３つの式である。この変換器の実施用のインダクタンスは、１０〜２０μＨの範囲になければならない。デバイスの容積全体に対する影響を最小にするのに妥当なインダクタのサイズは、０．５ｃｃである。低透磁率の材料のトレードオフには、巻き線の１巻きあたりのインダクタンス値を低くすることが含まれる。コアのパッケージ効率をさらに最適にするには、共通巻き線を有するトロイドコアのスタックを実施することができる。所与のコアについて、コアのスタックは、巻き数を少なくすることにより、ＤＣバイアス効果を低減する同じインダクタンスを提供することができる。コアのサイズの直径は、スタックされたコアの長さを長くすることにより、小さくすることができる。この結果、指定されたピーク電流における所与のインダクタンス値に対して、インダクタの容積の小さな改良が行われると共に、よりパッケージ効率のよい縦横比がもたらされる。最後に、インダクタは、外部から１６００ガウス未満のＤＣ磁界が印加されている状態で飽和してはならない。粉末コアにエアギャップを分散させることが、この要件にとって理想的である。
【００７３】
ディフィブリレーション波形についてのインダクタの電気制約条件には、高いＤＣ電流（３０アンペア）について、短い継続時間パルス（＜２０ｍｓ）および±１０アンペアのリップル電流という許容範囲が含まれる。したがって、全体のピーク電流は、４０アンペアになることがある。加熱効果は、パルスのデューティサイクルが非常に低いので重要ではない。インダクタンスの損失を最小限にしたこのような電流の許容範囲には、低透磁率で高磁束の粉末コアなどの材料を使用することが必要とされる。この材料は、コアの飽和を防止しつつ、ＤＣバイアスの高いレベルを可能にする。この変換器の実施用のインダクタンスは、１０〜２０Ｈの範囲になければならない。デバイスの容積全体に対する影響を最小にするのに妥当なインダクタのサイズは、０．５ｃｃである。低透磁率の材料のトレードオフは、巻き線の１巻きあたりのインダクタンス値を低くすることである。コアのパッケージ効率をさらに最適にするには、共通巻き線を有するトロイドコアのスタックを実施することができる。所与のコアについて、コアのスタックは、巻き数を少なくすることにより、ＤＣバイアス効果を低減する同じインダクタンスを提供することができる。コアのサイズの直径は、スタックされたコアの長さを長くすることにより、小さくすることができる。この結果、指定されたピーク電流における所与のインダクタンス値に対して、インダクタの容積の小さな改良が行われると共に、よりパッケージ効率のよい縦横比がもたらされる。最後に、インダクタは、外部から１６００ガウス未満のＤＣ磁界が印加されている状態で飽和してはならない。粉末コアにエアギャップを分散させることが、この要件にとって理想的である。
【００７４】
例えば、４０アンペアのピーク電流に対して、１４Ｈのインダクタを０．５ｃｃに近い容積で設計するのに必要な材料は、以下の数式に従ったサイズにすることができる。
【００７５】
【数５】
2005511164.tif 000007
ここで、
Ｎ＝巻き数
Ｌ＝インダクタンス
ｓ＝スタックされたトロイドの個数
ＡＬ＝１巻きあたりのコアインダクタンス（μＨ）を２乗したもの
Ｈ＝磁化力（エルステッド）
Ｉｐ＝ピーク電流
ｌｅ＝コアの磁路長
容積＝Ｐｌ（直径／２）２・ｈｔ
最小ワイヤゲージを２９ＡＷＧとする。断熱ワイヤの加熱計算は、これが銅に対して妥当であることを示している。
【００７６】
２３巻きで実施される例３を使用したインダクタ９４の測定（図８）は、次のようになる。
Ｌ＠１００ｋＨｚ          ＲＤＣ＠１００ｋＨｚ
１３．８μＨ              ２５０オーム
図９は、５００ｋＨｚのスイッチング周波数で適用した場合のインダクタの電流を示している。図９において、ピークインダクタ電流は、電流スロープに大きな変化がない３５アンペア（ＣＨ１チョーク電流とラベル付けしている）である。このことおよび他の試験は、この電流の範囲にわたってインダクタンス値が安定していることを示している。インダクタンスは、（Ｖｃｓｐ−Ｖｏｕｔ）・（時間変化／電流変化）として計算される。したがって、この場合のインダクタンス値は、Ｌ＝（５８０−２４０）・（４００ｎＳ／１４Ａ）＝９．７μＨとなる。
【００７７】
これは、インダクタが、本明細書の上記で示した計算と一致して動作していることを示す。波形のピークは観察されなかった。これは、この電流レベルにおいて飽和の傾向がないことを示している。さらに、ＤＣ磁界の存在下での試験に大きな変化はなかった。
【００７８】
図１０は、５０オーム負荷に電圧放電を送出した結果生成される上昇ランプ波形を示す図である。この図は、負荷に適用される、本発明と一致したＣＳＰ電圧１１０が、このオシロスコープのトレースに示すように、出力電圧１１２とラベル付けされた上昇ランプ波形になることを示している。
【００７９】
要約すれば、本発明の「デューティサイクル」の一実施の形態は、ディフィブリレータのエネルギー蓄積コンデンサの電圧を監視しながら、任意波形を被験者に送出することを含む。送出前のこのコンデンサの電圧およびコンデンサのサイズが判明することにより、デバイスの全蓄積エネルギーが判明する。次いで、この蓄積コンデンサの電圧が閾値に減衰した後にこの任意波形を打切ることにより、負荷抵抗にかかわらず、特定のエネルギー量を送出することができる。エネルギーの式は、この明細書（上記）に式１および式２として挙げられている。理想的な（すなわち、効率１００％）のステップダウンスイッチング変換器、すなわち降圧スイッチング変換器を使用した場合、電力変換器のデューティサイクルは、出力電圧を入力電圧で割ったものに等しくなる。したがって、入力電圧を監視して打切り時点を決定することに代えて、出力電圧およびデューティサイクルを単に監視するだけで、入力電圧が所定の値に減少する時が計算される。
【００８０】
本発明の別の実施の形態では、波形のエネルギーの小部分が、この場合も、蓄積コンデンサの電圧を監視することにより（または上記監視された「デューティサイクル」方法を使用することにより）送出される。このエネルギーの部分の送出に必要な時間の長さが測定される。次いで、この時間の長さは、電流を制御しているのか、それとも電圧を制御しているのかに応じて、式３または式４（上記）に従った負荷抵抗の計算に使用される。患者の抵抗（またはインピーダンス）が判明し、送出したい波形の形状および継続時間が判明すると、確実に所望される所定のエネルギー量を送出するように、その波形の残りの部分を再スケーリングすることができる。
【００８１】
本発明は、埋め込み可能医療デバイスおよび体外医療デバイスで実施することができ、慢性もしくは急性の不整脈の検出方式および／または心臓治療の送出と共に使用することができる。
【００８２】
上述した特定の実施の形態は、本発明の実施の例示である。したがって、本発明から逸脱することもなく、また添付した特許請求の範囲から逸脱することもなく、当業者に既知の他の手段または本明細書で開示した他の手段を使用できることが理解されるべきである。したがって、本発明の範囲から逸脱することなく、具体的に開示したものとは別の方法で本発明を実践できることが理解されよう。すべての要素について、その要素を、無限の均等な代替物のいずれの１つとも取り替えることができ、そのうちのいくつかだけが、この明細書で開示されているに過ぎない。
【図面の簡単な説明】
【００８３】
【図１】本発明によるＩＣＤ型システムの図である。
【図２】本発明の特徴を実施するようになっているＩＣＤ型デバイスの機能ブロック図である。
【図３Ａ】従来のＩＣＤに用いられる打切り型指数関数波形の生成に使用される回路のブロック図である。
【図３Ｂ】単相性打切り型指数関数波形の図である。
【図４】本発明の任意波形の生成に使用される回路のブロック図である。
【図５】本発明の第１の実施の形態として使用されるランプ波形の図である。
【図６】本発明の第２の実施の形態で使用されるランプ波形の図である。
【図７】本発明の２つの実施の形態を実施するのに使用されるスイッチング電力変換器のブロック図である。
【図８】図７で述べたインダクタの設計を開発するのに使用される１組の３つの式である。
【図９】５００ｋＨｚのスイッチング周波数で適用した場合のインダクタの電流である。
【図１０】５０オーム負荷に電圧放電を送出した結果生成される上昇ランプ波形を示す図である。
【図１】
2005511164.tif 000008
【図２】
2005511164.tif 000009
【図３Ａ】
2005511164.tif 000010
【図３Ｂ】
2005511164.tif 000011
【図４】
2005511164.tif 000012
【図５】
2005511164.tif 000013
【図６】
2005511164.tif 000014
【図７】
2005511164.tif 000015
【図８】
2005511164.tif 000016
【図９】
2005511164.tif 000017
【図１０】
2005511164.tif 000018
【手続補正書】
【提出日】平成15年8月1日(2003.8.1)
【手続補正１】
【補正対象書類名】特許請求の範囲
【補正対象項目名】全文
【補正方法】変更
【補正の内容】
【特許請求の範囲】
【請求項１】
デバイスから一定のエネルギーを送出し、心臓細動の状況を終結させるように、遅い立ち上がりのランプ型ディフィブリレーション出力波形を制御するシステムであって、
少なくとも１対の電極の間におけるサブシステムの負荷インピーダンスを、エネルギーの初期部分を送出する継続時間にわたって測定する手段と、
蓄積コンデンサの電圧が一定の割合だけ減衰するのに要する時間の長さを測定する手段と、
前記時間の長さに基づいて、電圧制御されたまたは電流制御された遅い立ち上がりのランプ型ディフィブリレーション出力波形が送出される負荷インピーダンスを計算する手段と、
前記負荷インピーダンスにかかわらず、事前にプログラムされたレベルのエネルギーを送出するために、前記電圧制御されたまたは電流制御された遅い立ち上がりのランプ型ディフィブリレーション出力波形を延ばす手段と、
を特徴とするシステム。
【請求項２】
前記延ばす手段は、電力変換器回路を含む、請求項１に記載のシステム。
【請求項３】
前記電極は、埋め込み可能医療デバイスの導電キャニスタの一部である、請求項１に記載のシステム。
【請求項４】
前記事前にプログラムされたレベルのエネルギーは、１組の事前にプログラムされた離散的なレベルのエネルギーであり、前記１組におけるそれぞれの一連の構成要素は、前記１組におけるその前の構成要素よりも大きな大きさを有する、請求項１に記載のシステム。
【請求項５】
前記電圧制御されたまたは電流制御された遅い立ち上がりのランプ型ディフィブリレーション出力波形は、上昇振幅波形、１対の二相性の遅い立ち上がりのランプ型ディフィブリレーション出力波形、第１の逆極性下降振幅の遅い立ち上がりのランプ型ディフィブリレーション出力波形、打切り型の遅い立ち上がりのランプ型ディフィブリレーション出力波形、多相の遅い立ち上がりのランプ型ディフィブリレーション出力波形、多相性の遅い立ち上がりのランプ型ディフィブリレーション出力波形の少なくとも１つを備える、請求項１に記載のシステム。
【請求項６】
前記電圧制御されたまたは電流制御された遅い立ち上がりのランプ型ディフィブリレーション出力波形を延ばす前記手段は、スイッチング変換器を含む、請求項１に記載のシステム。
【請求項７】
前記スイッチング変換器は、ステップダウン（降圧）変換器、ステップアップ（昇圧）変換器、結合ステップダウン／ステップアップ（降圧−昇圧）変換器の少なくとも１つを含む、請求項６に記載のシステム。
【請求項８】
前記１対の電極は、経皮電極、皮下電極、心外膜電極、心内膜電極、経皮的電極、表面電極、キャニスタ電極、コイル電極、リング電極、チップ電極の少なくとも１つを含む、請求項１に記載のシステム。
【請求項９】
心臓ディフィブリレータのエネルギー蓄積コンデンサの電圧を監視しながら、被験者に任意の遅い立ち上がりのランプ型ディフィブリレーション出力波形を送出するシステムにおいて、
前記蓄積コンデンサに蓄積されるエネルギーの総量を導出するために、該蓄積コンデンサに蓄積された電圧および該蓄積コンデンサのサイズを求める手段と、
前記蓄積コンデンサの電圧が閾値に減衰した後に、任意の遅い立ち上がりのランプ型ディフィブリレーション出力波形を打切る手段と、
被験者の負荷抵抗にかかわらず、前記任意の遅い立ち上がりのランプ型ディフィブリレーション出力波形を介して前記エネルギーの総量のうちの特定の量を送出する手段と、
を備えたことを特徴とするシステム。
【請求項１０】
前記打切る手段は、出力電圧パラメータおよびデューティサイクルパラメータを監視する手段を含む、請求項９に記載のシステム。
【請求項１１】
患者の心臓の調律を安定化させるように、一定のエネルギーを送出するシステムにおいて、
首尾よく不整脈を終結させようとして、任意の遅い立ち上がりのランプ型ディフィブリレーション出力波形を使用して、患者の心臓組織の一部に送出されている送出エネルギーの一部を監視する手段と、
前記患者の負荷インピーダンス値を計算する手段と、
所望のエネルギー量が送出されるように、前記任意の遅い立ち上がりのランプ型ディフィブリレーション出力波形によって供給される前記送出エネルギーの残りの部分を、該送出エネルギーの該残りの部分の振幅特性をスケーリングすることに基づいて調整する手段と、
を備えたことを特徴とするシステム。
【請求項１２】
前記監視する手段は、時間に応じ前記送出エネルギーの前記残りの部分を監視する手段を含む、請求項１１に記載のシステム。
【請求項１３】
前記設定する手段は、前記負荷インピーダンスにほぼ整合させ、それによって、一貫したエネルギー量を送出するために、前記任意の遅い立ち上がりのランプ型ディフィブリレーション出力波形の電圧パラメータまたは電流パラメータを制御する手段を含む、請求項１１に記載のシステム。
【請求項１４】
首尾よく前記不整脈を終結したかどうかを判断するために、前記心臓組織の一部を監視するステップと、
首尾よく前記不整脈を終結していない場合には、請求項１１に記載のステップを繰り返すステップと、
をさらに含む、請求項１１に記載のシステム。
【請求項１５】
請求項１１に記載のステップを繰り返す前記ステップは、前記所望の一定のエネルギー量より大きな大きさの第２の所望の一定のエネルギー量を送出することにより行われる、請求項１４に記載のシステム。
【請求項１６】
前記負荷インピーダンス値を計算する手段は、前記心臓組織の一部の付近に配置される少なくとも１対の電極を含む、請求項１１に記載のシステム。
【請求項１７】
遅い立ち上がりのランプ型ディフィブリレーション出力波形を介して、組織体積に、所望される所定かつ一定のエネルギー量を送出する方法において、
蓄積コンデンサを充電すること、
組織体積の付近に配置された少なくとも２つの電極を使用して該組織体積の負荷インピーダンスを測定すること、
前記蓄積コンデンサに存在する電位の大きさを測定すること、
同時に、前記負荷インピーダンスを再測定するために、前記蓄積コンデンサから前記組織体積へ、スイッチング電力変換器回路を通じて任意の遅い立ち上がりのランプ型ディフィブリレーション出力波形を送出すること、
前記再測定した負荷インピーダンスの変化に応答して、所定のエネルギー量が、前記組織の一部に最終的に送出されるように、前記任意の遅い立ち上がりのランプ型ディフィブリレーション出力波形を調整すること、
からなることを特徴とする方法。
【請求項１８】
前記任意の遅い立ち上がりのランプ型ディフィブリレーション出力波形は、上昇振幅の遅い立ち上がりのランプ型ディフィブリレーション出力波形、二相性の遅い立ち上がりのランプ型ディフィブリレーション出力波形、電圧制御された遅い立ち上がりのランプ型ディフィブリレーション出力波形、電流制御された遅い立ち上がりのランプ型ディフィブリレーション出力波形、逆極性の遅い立ち上がりのランプ型ディフィブリレーション出力波形、打切り型の遅い立ち上がりのランプ型ディフィブリレーション出力波形、多相の遅い立ち上がりのランプ型ディフィブリレーション出力波形、多相性の遅い立ち上がりのランプ型ディフィブリレーション出力波形の少なくとも１つを含む、請求項１７に記載の方法。
【請求項１９】
自動体外ディフィブリレータ、埋め込み可能医療デバイス、埋め込み可能カーディオバータディフィブリレータ、ペースメーカから選択されたデバイスによって実行される、請求項１７に記載の方法。
【請求項２０】
致死の可能性のある不整脈の肯定的な検出、および、該致死の可能性のある不整脈の終結を目的とする少なくとも１回の低電圧治療に続いて適用される、請求項１７に記載の方法。
【請求項２１】
プロセッサ制御命令を記憶するコンピュータ可読媒体において、
首尾よく不整脈終結させようとして、任意の遅い立ち上がりのランプ型ディフィブリレーション出力波形を使用して、患者の心臓組織の一部に送出されている送出エネルギーの一部を監視する命令と、
前記患者の負荷インピーダンス値を計算する命令と、
所望のエネルギー量が送出されるように、前記任意の遅い立ち上がりのランプ型ディフィブリレーション出力波形によって供給される前記送出エネルギーの残りの部分を、該送出エネルギーの該残りの部分の振幅特性をスケーリングすることに基づいて調整する命令と、
を含むことを特徴とするコンピュータ可読媒体。
【国際調査報告】
2005511164.tif 000019
2005511164.tif 000020
2005511164.tif 000021
2005511164.tif 000022